(57)【特許請求の範囲】
【請求項１】
ダクトに接続されるダンパハウジング内に、ダンパ羽根を垂直な軸を中心として回動可能に複数配設してなるダンパ装置において、前記ダンパハウジングの底面を側面から見て台形状に隆起せしめ、ダンパ羽根が配設される開口部の高さがダクトの高さより小さくなり且つダンパ羽根が配設される開口部のガス流通方向における底面の長さがダンパハウジングのガス流通方向における長さより小さくなるよう、構成したことを特徴とするダンパ装置。
【発明の詳細な説明】
【０００１】
【発明の属する技術分野】
本発明は、ダンパ装置に関するものである。
【０００２】
【従来の技術】
一般に、石炭焚ボイラ等のように、排ガス中にフライアッシュ等のダストが含まれるものの場合、図３及び図４に示される如く、排ガスのダクト１途中に集塵機２が設けられる。
【０００３】
前記集塵機２は、内部に多数のサイクロン３が配設され、該各サイクロン３の旋回翼４により上流側から流れてくる排ガスを旋回流とし、遠心力によって排ガス中からダストを分離してホッパ５内に落下させると共に、ダストが分離除去された清浄ガスをパイプ６から下流側へ流すようになっている。
【０００４】
又、前記集塵機２は、その容量（排ガスの通過面積）の比がおよそ２：１となるよう、仕切板７によって二つの室２ａ，２ｂに仕切られており、それに対応させて集塵機２の上流側のダクト１と下流側のダクト１にもそれぞれ仕切板８，９が設けられ、前記各室２ａ，２ｂの出口側にはそれぞれ、ダンパ装置１０ａ，１０ｂが配設されている。
【０００５】
前記ダンパ装置１０ａ，１０ｂは、図５に示される如く、ダクト１に接続されるダンパハウジング１１内に、ダンパ羽根１２を軸１３を中心として図示していない駆動装置により回動可能に配設してなる構成を有しており、全開状態と全閉状態とに切り換えられるようになっている。
【０００６】
通常のボイラの場合、ボイラ負荷が増加すると排ガス量も増加し、又、ボイラ負荷が減少すると排ガス量も減少するため、図３及び図４に示す例においては、ボイラ負荷の変化、即ち排ガス量の変化に応じて、両方のダンパ装置１０ａ，１０ｂを全開として両方の室２ａ，２ｂに排ガスを流通させる場合と、容量の小さい側のダンパ装置１０ｂを全閉とし且つ容量の大きい側のダンパ装置１０ａを全開として容量の大きい側の室２ａのみに排ガスを流通させる場合と、容量の小さい側のダンパ装置１０ｂを全開とし且つ容量の大きい側のダンパ装置１０ａを全閉として容量の小さい側の室２ｂのみに排ガスを流通させる場合というように、三段階に切り換えを行うことにより、集塵機２、即ち各サイクロン３へ流入する排ガスの流速を略一定に保持し、ダストの捕集効率を確保するようになっている。
【０００７】
尚、図３及び図４の例ではダンパ装置１０ａ，１０ｂが集塵機２の出口側に配設される例を示したが、入口側に配設される場合もある。
【０００８】
【発明が解決しようとする課題】
しかしながら、前述の如く、ダンパ装置１０ａ，１０ｂを全閉或いは全開とした場合、集塵機２によって捕集しきれなかったダストが、図５中仮想線で示されるように、ダンパハウジング１１の底面に堆積し、ダンパ羽根１２を回動させることができなくなり、開閉操作を行えなくなる虞れがあった。
【０００９】
本発明は、斯かる実情に鑑み、ダクト内を流れるガス中に含まれるダストのダンパハウジングの底面への堆積を最小限に抑制し得、且つ仮にダストがダンパハウジングの底面に堆積したとしてもダンパ羽根を回動させることができ、開閉操作に支障を来すことを防止し得るダンパ装置を提供しようとするものである。
【００１０】
【課題を解決するための手段】
本発明は、ダクトに接続されるダンパハウジング内に、ダンパ羽根を垂直な軸を中心として回動可能に複数配設してなるダンパ装置において、前記ダンパハウジングの底面を側面から見て台形状に隆起せしめ、ダンパ羽根が配設される開口部の高さがダクトの高さより小さくなり且つダンパ羽根が配設される開口部のガス流通方向における底面の長さがダンパハウジングのガス流通方向における長さより小さくなるよう、構成したことを特徴とするダンパ装置にかかるものである。
【００１１】
前記ダンパ装置においては、ダンパハウジングの底面を側面から見て台形状に隆起せしめるようにすることができる。
【００１２】
上記手段によれば、以下のような作用が得られる。
【００１３】
ダクトに接続されるダンパハウジングの底面を隆起せしめ、ダンパ羽根が配設される開口部の高さをダクトの高さより小さくすると、ダンパ羽根が配設される開口部を通過する際のガスの流速が高まり、ダンパ羽根が配設される開口部の底面に、ガス中のダストが堆積しにくくなる。
【００１４】
しかも、ダンパ羽根が配設される開口部のガス流通方向における底面の長さをダンパハウジングのガス流通方向における長さより小さくしてあるため、仮にダンパ羽根が配設される開口部の底面にダストが堆積したとしても、該ダストの量は従来に比べ大幅に少なくなり、ダンパ羽根を回動させれば、前記ダストを払い除けることが可能となり、開閉操作が常に円滑に行われる形となる。
【００１５】
又、ダンパハウジングの底面を側面から見て台形状に隆起せしめるようにしてあるため、ダンパハウジングの形状も安定したものとなる。
【００１６】
【発明の実施の形態】
以下、本発明の実施の形態を図示例と共に説明する。
【００１７】
図１及び図２は本発明を実施する形態の一例であって、図中、図３〜図５と同一の符号を付した部分は同一物を表わしており、基本的な構成は図３〜図５に示す従来のものと同様であるが、本図示例の特徴とするところは、図１及び図２に示す如く、ダクト１に接続されるダンパハウジング１１の底面を側面から見て台形状に隆起せしめ、ダンパ羽根１２が配設される開口部の高さｈをダクト１の高さＨより小さくすると共に、ダンパ羽根１２が配設される開口部のガス流通方向における底面の長さＬ’をダンパハウジング１１のガス流通方向における長さＬより小さくした点にある。
【００１８】
尚、前述の如く、ダンパ羽根１２が配設される開口部の高さｈをダクト１の高さＨより小さくした場合、圧力損失が増加するため、こうした圧力損失の増加が、系統計画値の範囲内に収まるように、前記開口部の高さｈを決定するようにする。
【００１９】
又、前記ダンパ羽根１２が配設される開口部のガス流通方向における底面の長さＬ’については、図１及び図２の例では、ダンパハウジング１１のガス流通方向における長さＬの半分程度としてあるが、ダストが仮に前記開口部の底面に堆積した場合に、それを払い除けてダンパ羽根１２を回動させるのに必要なトルクがなるべく小さくなるよう、前記長さＬ’は可能な限り小さくすることが望ましい。
【００２０】
次に、上記図示例の作動を説明する。
【００２１】
ダクト１に接続されるダンパハウジング１１の底面を側面から見て台形状に隆起せしめ、ダンパ羽根１２が配設される開口部の高さｈをダクト１の高さＨより小さくすると、ダンパ羽根１２が配設される開口部を通過する際の排ガスの流速がｖiからｖdへ高まり、ダンパ羽根１２が配設される開口部の底面に、集塵機２によって捕集しきれなかったダストが堆積しにくくなる。
【００２２】
しかも、ダンパ羽根１２が配設される開口部のガス流通方向における底面の長さＬ’をダンパハウジング１１のガス流通方向における長さＬより小さくしてあるため、仮にダンパ羽根１２が配設される開口部の底面にダストが堆積したとしても、該ダストの量は従来に比べ大幅に少なくなり、ダンパ羽根１２を回動させれば、前記ダストを払い除けることが可能となり、開閉操作が常に円滑に行われる形となる。
【００２３】
こうして、ダクト１内を流れる排ガス中に含まれるダストのダンパハウジング１１の底面への堆積を最小限に抑制し得、且つ仮にダストがダンパハウジング１１の底面に堆積したとしてもダンパ羽根１２を回動させることができ、開閉操作に支障を来すことを防止し得る。
【００２４】
尚、本発明のダンパ装置は、上述の図示例にのみ限定されるものではなく、本発明の要旨を逸脱しない範囲内において種々変更を加え得ることは勿論である。
【００２５】
【発明の効果】
以上、説明したように本発明のダンパ装置によれば、ダンパハウジングの形状を安定化させつつ、ダクト内を流れるガス中に含まれるダストのダンパハウジングの底面への堆積を最小限に抑制し得、且つ仮にダストがダンパハウジングの底面に堆積したとしてもダンパ羽根を回動させることができ、開閉操作に支障を来すことを防止し得るという優れた効果を奏し得る。
【図面の簡単な説明】
【図１】  本発明を実施する形態の一例の側断面図である。
【図２】  図１のＩＩ−ＩＩ断面図である。
【図３】  一般的な機械式集塵機の側断面図である。
【図４】  図３のＩＶ−ＩＶ矢視図である。
【図５】  従来のダンパ装置の一例の側断面図であって、図３のＶ部相当図である。
【符号の説明】
１          ダクト
１０ａ        ダンパ装置
１０ｂ        ダンパ装置
１１          ダンパハウジング
１２          ダンパ羽根
Ｈ          高さ
ｈ          高さ
Ｌ          長さ
Ｌ’        長さ
【図１】
0003796820.tif 000002
【図２】
0003796820.tif 000003
【図３】
0003796820.tif 000004
【図４】
0003796820.tif 000005
【図５】
0003796820.tif 000006